(57)【要約】【課題】表示入力装置における保持構造の増加を抑制すること。【解決手段】表示システムは、ペンと、ペンによる入力を受け付け可能な表示入力装置と、表示入力装置の筐体に接続可能であり、表示入力装置の機能を拡張する拡張機能を有する拡張機能装置とを備え、表示入力装置は、筐体における第１の辺に、拡張機能装置を取り付け可能な第１の取付部を有し、筐体における第１の辺に隣接する第２の辺に、拡張機能装置を取り付け可能な第２の取付部を有し、ペンは、第１の取付部に拡張機能装置が取り付けられた状態において、第２の取付部に着脱可能であり、第２の取付部に拡張機能装置が取り付けられた状態において、第１の取付部に着脱可能である。【選択図】図３
2020087044.tif 000002
【特許請求の範囲】
【請求項１】
ペンと、
前記ペンによる入力を受け付け可能な表示入力装置と、
前記表示入力装置の筐体に接続可能であり、前記表示入力装置の機能を拡張する拡張機能を有する拡張機能装置と
を備え、
前記表示入力装置は、
前記筐体における第１の辺に、前記拡張機能装置を取り付け可能な第１の取付部を有し、
前記筐体における前記第１の辺に隣接する第２の辺に、前記拡張機能装置を取り付け可能な第２の取付部を有し、
前記ペンは、
前記第１の取付部に前記拡張機能装置が取り付けられた状態において、前記第２の取付部に着脱可能であり、
前記第２の取付部に前記拡張機能装置が取り付けられた状態において、前記第１の取付部に着脱可能である
ことを特徴とする表示システム。
【請求項２】
前記表示入力装置は、
前記筐体が横長となる第１の姿勢と、前記筐体が縦長となる第２の姿勢とのそれぞれで使用可能であり、
前記第１の姿勢において、
前記第１の取付部に前記拡張機能装置が取り付けられ、前記第２の取付部に前記ペンが着脱可能であり、
前記第２の姿勢において、
前記第２の取付部に前記拡張機能装置が取り付けられ、前記第１の取付部に前記ペンが着脱可能である
ことを特徴とする請求項１に記載の表示システム。
【請求項３】
前記第１の取付部および前記第２の取付部は、磁性体が用いられており、当該磁性体に生じる磁力により、前記拡張機能装置および前記ペンを取り付け可能である
ことを特徴とする請求項１または２に記載の表示システム。
【発明の詳細な説明】
【技術分野】
【０００１】
本発明は、表示システムに関する。
【背景技術】
【０００２】
特許文献１には、表示パネルを備えたカメラケースに、ペン型入力装置が着脱可能に収納されるペン収納部が設けられたデジタルスチルカメラが開示されている。また、特許文献２には、横長の長方形状の液晶ディスプレイの下部に取り付けることが可能なスピーカ装置が開示されている。
【発明の概要】
【発明が解決しようとする課題】
【０００３】
ところで、表示システムにおいて、ペン入力可能な表示入力装置を、横長の長方形状となる第１の姿勢と、縦長の長方形状となる第２の姿勢との各々で使用可能なものがある。このような表示システムにおいて、特許文献１の技術と特許文献２の技術を組み合わせて、第１の姿勢および第２の姿勢のいずれにおいても、表示入力装置の下部にスピーカを取り付け可能とし、且つ、表示入力装置の側部においてペンを保持可能な構成を採用した場合、第１の姿勢のときに、表示入力装置の下部でスピーカを保持する保持構造と、表示入力装置の側部でペンを保持する保持構造と、第２の姿勢のときに、表示入力装置の下部でスピーカを保持する保持構造と、表示入力装置の側部でペンを保持する保持構造とを、それぞれ表示入力装置に設ける必要がある。
【０００４】
本発明は、上述した従来技術の課題を解決するため、表示入力装置における保持構造の増加を抑制することを目的とする。
【課題を解決するための手段】
【０００５】
上述した課題を解決するために、本発明の表示システムは、ペンと、ペンによる入力を受け付け可能な表示入力装置と、表示入力装置の筐体に接続可能であり、表示入力装置の機能を拡張する拡張機能を有する拡張機能装置とを備え、表示入力装置は、筐体における第１の辺に、拡張機能装置を取り付け可能な第１の取付部を有し、筐体における第１の辺に隣接する第２の辺に、拡張機能装置を取り付け可能な第２の取付部を有し、ペンは、第１の取付部に拡張機能装置が取り付けられた状態において、第２の取付部に着脱可能であり、第２の取付部に拡張機能装置が取り付けられた状態において、第１の取付部に着脱可能である。
【発明の効果】
【０００６】
本発明によれば、表示入力装置における保持構造の増加を抑制することができる。
【図面の簡単な説明】
【０００７】
【図１】本発明の一実施形態に係るＩＷＢの外観を示す図
【図２】本発明の一実施形態に係るＩＷＢの使用形態を示す図
【図３】本発明の一実施形態に係るＩＷＢにおけるペンの保持構造を示す図
【発明を実施するための形態】
【０００８】
〔一実施形態〕
以下、図面を参照して、本発明の一実施形態について説明する。
【０００９】
（ＩＷＢ１００の概要）
図１は、本発明の一実施形態に係るＩＷＢ（Interactive White Board）１００の外観を示す図である。図１（ａ）は、ＩＷＢ１００の前面側を表しており、図１（ｂ）は、ＩＷＢ１００の背面側を表している。ＩＷＢ１００は、「表示システム」の一例である。
【００１０】
図１に示すＩＷＢ１００は、テレビ会議の通信端末として利用可能であり、テレビ会議が行われる各拠点に設置され、テレビ会議の参加者によって使用される。例えば、ＩＷＢ１００は、インターネット、イントラネット、ＬＡＮ（Local Area Network）等のネットワークを介して、他のＩＷＢ１００とテレビ会議システムを構成する。
【００１１】
ＩＷＢ１００は、テレビ会議の自拠点の参加者から入力された各種データ（例えば、映像データ、音声データ、描画データ等）を、ネットワークを介して、他拠点のＩＷＢ１００へ送信することができる。また、ＩＷＢ１００は、自拠点の参加者から入力された各種データや、他拠点のＩＷＢ１００から送信されてきた各種データを、データの種類に応じた出力方法（例えば、表示、音声出力等）によって出力することにより、テレビ会議の参加者へ呈示することができる。
【００１２】
図１に示すように、ＩＷＢ１００は、本体１００Ａと、メディアボックス１００Ｂとを備えている。本体１００Ａは、「表示入力装置」の一例である。本体１００Ａは、長方形状の筐体を有している。メディアボックス１００Ｂは、「拡張機能装置」の一例である。メディアボックス１００Ｂは、長方形状の筐体を有しており、本体１００Ａに対して着脱自在である。メディアボックス１００Ｂは、本体１００Ａに接続されることにより、本体１００Ａから電源が供給されて、利用可能となる。
【００１３】
本体１００Ａには、前面にタッチパネル・ディスプレイ１０１が設けられており、背面にコントローラボックス１０２が設けられている。一方、メディアボックス１００Ｂには、前面にカメラ１０３、マイク１０４、スピーカ１０５、および電源ボタン１０６が設けられている。
【００１４】
タッチパネル・ディスプレイ１０１は、ディスプレイとタッチパネルとを備えた装置である。タッチパネル・ディスプレイ１０１は、ディスプレイにより、各種情報（例えば、映像データ、描画データ等）を表示することができる。また、タッチパネル・ディスプレイ１０１は、タッチパネルにより、操作体（例えば、指、ペン１５０等）の接触操作による、各種情報（例えば、文字、図形、画像等）の入力を行うことができる。ディスプレイとしては、例えば、液晶ディスプレイ、有機ＥＬディスプレイ、電子ペーパー等を用いることができる。タッチパネルとしては、例えば、静電容量方式のタッチパネルを用いることができる。
【００１５】
コントローラボックス１０２は、ＩＷＢ１００の各種制御を行う。例えば、コントローラボックス１０２は、ＩＷＢ１００が備える各種ハードウェアの制御、ＩＷＢ１００が備えるテレビ会議に関する各種機能の実行制御等を行う。また、コントローラボックス１０２は、メディアボックス１００Ｂが接続されることにより、メディアボックス１００Ｂに設けられた各ハードウェアの制御を行うことができる。
【００１６】
カメラ１０３は、ＩＷＢ１００の前方の映像を撮像する。カメラ１０３は、例えば、レンズと、イメージセンサと、ＤＳＰ（Digital Signal Processor）等の映像処理回路とを備えて構成されている。イメージセンサは、レンズによって集光された光を光電変換することにより、映像データ（ＲＡＷデータ）を生成する。イメージセンサとしては、例えば、ＣＣＤ（Charge Coupled Device）、ＣＭＯＳ（Complementary Metal Oxide Semiconductor）等が用いられる。映像処理回路は、イメージセンサによって生成された映像データ（ＲＡＷデータ）に対して、ベイヤー変換、３Ａ制御（ＡＥ（自動露出制御）、ＡＦ（オートフォーカス）、およびＡＷＢ（オートホワイトバランス））等の一般的な映像処理を行うことにより、映像データ（ＹＵＶデータ）を生成する。そして、映像処理回路は、生成された映像データ（ＹＵＶデータ）を出力する。ＹＵＶデータは、色情報を、輝度信号（Ｙ）と、輝度信号と青色成分との差（Ｕ）と、輝度信号と赤色成分との差（Ｖ）との組み合わせで表したものである。
【００１７】
マイク１０４は、ＩＷＢ１００の前方の音声を集音し、当該音声に対応する音声データ（アナログデータ）を生成した後、当該音声データ（アナログデータ）をアナログ−デジタル変換することによって、集音された音声に対応する音声データ（デジタルデータ）を出力する。
【００１８】
スピーカ１０５は、音声データ（アナログデータ）によって駆動されることにより、当該音声データに対応する音声を出力する。例えば、スピーカ１０５は、他拠点のＩＷＢ１００から送信された音声データによって駆動されることにより、他拠点のＩＷＢ１００において集音された音声を出力する。
【００１９】
電源ボタン１０６は、ＩＷＢ１００の電源のオン−オフの切り替えを行うために、ユーザによって押下操作されるボタンである。
【００２０】
このように構成されたＩＷＢ１００は、カメラ１０３によって取得された映像データ、タッチパネル・ディスプレイ１０１によって取得された描画データ、および、マイク１０４によって取得された音声データを、ネットワークを介して他拠点のＩＷＢ１００へ送信することにより、これらのデータを他拠点のＩＷＢ１００と共有することができる。また、ＩＷＢ１００は、他拠点のＩＷＢ１００から送信された映像データおよび描画データに基づく表示内容を、タッチパネル・ディスプレイ１０１によって表示するとともに、他拠点のＩＷＢ１００から送信された音声データに基づく音声を、スピーカ１０５によって音声出力することにより、これらの情報を他のＩＷＢ１００と共有することができる。
【００２１】
（ＩＷＢ１００の使用形態）
図２は、本発明の一実施形態に係るＩＷＢ１００の使用形態を示す図である。図２（ａ）は、本体１００Ａを横長の長方形状となる姿勢（以下、「第１の姿勢」と示す）にした状態のＩＷＢ１００を示しており、図２（ｂ）は、本体１００Ａを９０°回転させて縦長の長方形状となる姿勢（以下、「第２の姿勢」と示す）にした状態のＩＷＢ１００を示している。
【００２２】
図２に示すように、ＩＷＢ１００は、本体１００Ａを第１の姿勢および第２の姿勢のいずれの状態とした場合であっても、本体１００Ａの中心線ＣＬ１と、メディアボックス１００Ｂの中心線ＣＬ２とを一致させた状態で、本体１００Ａの下側に横長の長方形状となる姿勢のメディアボックス１００Ｂを接続することができるようになっている。
【００２３】
具体的には、メディアボックス１００Ｂは、本体１００Ａが接続される側の長辺部である上辺部にコネクタ１２１が設けられている。一方、本体１００Ａは、図２（ａ）に示すように第１の姿勢にしたときにメディアボックス１００Ｂが接続される側の長辺部である第１の辺１００ａに、コネクタ１２１と接続可能なコネクタ１２２Ａが設けられている。また、本体１００Ａは、図２（ｂ）に示すように第２の姿勢にしたときにメディアボックス１００Ｂが接続される側の短辺部である第２の辺１００ｂに、コネクタ１２１と接続可能なコネクタ１２２Ｂが設けられている。
【００２４】
これにより、図２（ａ）に示すように、本体１００Ａを第１の姿勢にしたとき、本体１００Ａのコネクタ１２２Ａが、メディアボックス１００Ｂのコネクタ１２１と対向し、コネクタ１２２Ａとコネクタ１２１とを互いに接続することができる。この際、コネクタ１２２Ａの中心線ＣＬ１からのオフセット量およびオフセット方向は、コネクタ１２１の中心線ＣＬ２からのオフセット量およびオフセット方向と同じであるため、中心線ＣＬ１と中心線ＣＬ２とを一致させた状態で、コネクタ１２２Ａとコネクタ１２１とを互いに対向させて接続することができる。
【００２５】
また、図２（ｂ）に示すように、本体１００Ａを第２の姿勢にしたとき、本体１００Ａのコネクタ１２２Ｂが、メディアボックス１００Ｂのコネクタ１２１と対向し、コネクタ１２２Ｂとコネクタ１２１とを互いに接続することができる。この際、コネクタ１２２Ｂの中心線ＣＬ１からのオフセット量およびオフセット方向は、コネクタ１２１の中心線ＣＬ２からのオフセット量およびオフセット方向と同じであるため、中心線ＣＬ１と中心線ＣＬ２とを一致させた状態で、コネクタ１２２Ｂとコネクタ１２１とを互いに対向させて接続することができる。
【００２６】
なお、本体１００Ａは、図２（ａ）に示すように、コネクタ１２２Ａにメディアボックス１００Ｂが接続された場合、タッチパネル・ディスプレイ１０１を表示画面の水平方向と垂直方向とが第１の姿勢に対応する表示に切り替えることができるようになっている。また、本体１００Ａは、図２（ｂ）に示すように、コネクタ１２２Ｂにメディアボックス１００Ｂが接続された場合、タッチパネル・ディスプレイ１０１を表示画面の水平方向と垂直方向とが第２の姿勢に対応する表示に切り替えることができるようになっている。
【００２７】
（ペン１５０の保持構造）
図３は、本発明の一実施形態に係るＩＷＢ１００におけるペン１５０の保持構造を示す図である。図３（ａ）は、本体１００Ａを横長の長方形状となる第１の姿勢にした状態のＩＷＢ１００を示しており、図３（ｂ）は、本体１００Ａを９０°回転させて縦長の長方形状となる第２の姿勢にした状態のＩＷＢ１００を示している。
【００２８】
図３（ａ）および図３（ｂ）に示すように、本体１００Ａは、第１の姿勢にしたときにメディアボックス１００Ｂが接続される側の長辺である第１の辺１００ａの中央に、平板状の磁性体１３２（「第１の取付部」の一例）が設けられている。また、本体１００Ａは、第２の姿勢にしたときにメディアボックス１００Ｂが接続される側の短辺である第２の辺１００ｂの中央に、平板状の磁性体１３４（「第２の取付部」の一例）が設けられている。一方、メディアボックス１００Ｂは、本体１００Ａが接続される側の長辺部である上辺部の中央に平板状の磁石１３６が設けられている。
【００２９】
これにより、図３（ａ）に示すように、本体１００Ａが第１の姿勢にあるとき、本体１００Ａの第１の辺１００ａの中央に設けられた磁性体１３２は、メディアボックス１００Ｂの上辺部の中央に設けられた磁石１３６と対向する。これにより、本実施形態のＩＷＢ１００は、本体１００Ａが第１の姿勢にあるとき、本体１００Ａの中心線ＣＬ１と、メディアボックス１００Ｂの中心線ＣＬ２とが一致した状態で、本体１００Ａに設けられた磁性体１３２を、メディアボックス１００Ｂに設けられた磁石１３６に磁着させて、本体１００Ａとメディアボックス１００Ｂとを互いに固定することができる。
【００３０】
また、図３（ａ）に示すように、本体１００Ａが第１の姿勢にあるとき、本体１００Ａの第２の辺１００ｂの中央に設けられた磁性体１３４は、本体１００Ａの側部に位置する。これにより、本実施形態のＩＷＢ１００は、本体１００Ａが第１の姿勢にあるとき、本体１００Ａの側部において、ペン１５０に設けられた磁石１５２を磁性体１３４に磁着させることにより、ペン１５０を着脱可能である。
【００３１】
また、図３（ｂ）に示すように、本体１００Ａが第２の姿勢にあるとき、本体１００Ａの第２の辺１００ｂの中央に設けられた磁性体１３４が、メディアボックス１００Ｂの上辺部の中央に設けられた磁石１３６と対向する。これにより、本実施形態のＩＷＢ１００は、本体１００Ａが第２の姿勢にあるとき、本体１００Ａの中心線ＣＬ１と、メディアボックス１００Ｂの中心線ＣＬ２とが一致した状態で、本体１００Ａに設けられた磁性体１３４を、メディアボックス１００Ｂに設けられた磁石１３６に磁着させて、本体１００Ａとメディアボックス１００Ｂとを互いに固定することができる。
【００３２】
また、図３（ｂ）に示すように、本体１００Ａが第２の姿勢にあるとき、本体１００Ａの第１の辺１００ａの中央に設けられた磁性体１３４は、本体１００Ａの側部に位置する。これにより、本実施形態のＩＷＢ１００は、本体１００Ａが第２の姿勢にあるとき、本体１００Ａの側部において、ペン１５０に設けられた磁石１５２を磁性体１３２に磁着させることにより、ペン１５０を着脱可能である。
【００３３】
以上説明したように、本実施形態のＩＷＢ１００は、ペン１５０と、ペン１５０による入力を受け付け可能な本体１００Ａと、本体１００Ａの筐体に接続可能であり、本体１００Ａの機能を拡張する拡張機能を有するメディアボックス１００Ｂとを備え、本体１００Ａは、筐体における第１の辺１００ａに、メディアボックス１００Ｂを取り付け可能な磁性体１３２を有し、筐体における第１の辺１００ａに隣接する第２の辺１００ｂに、メディアボックス１００Ｂを取り付け可能な磁性体１３４を有し、ペン１５０は、磁性体１３２にメディアボックス１００Ｂが取り付けられた状態において、磁性体１３４に着脱可能であり、磁性体１３４にメディアボックス１００Ｂが取り付けられた状態において、磁性体１３２に着脱可能である。
【００３４】
これにより、本実施形態のＩＷＢ１００は、磁性体１３２，１３４の一方にメディアボックス１００Ｂが取り付けられているとき、磁性体１３２，１３４の他方により、ペン１５０を保持することができる。すなわち、本実施形態のＩＷＢ１００は、ペン１５０を保持するための専用の保持構造を設ける必要がない。したがって、本実施形態のＩＷＢ１００によれば、本体１００Ａにおける保持構造の増加を抑制することができる。
【００３５】
特に、本実施形態のＩＷＢ１００において、本体１００Ａは、筐体が横長となる第１の姿勢と、筐体が縦長となる第２の姿勢とのそれぞれで使用可能であり、第１の姿勢において、磁性体１３２にメディアボックス１００Ｂが取り付けられ、磁性体１３４にペン１５０が着脱可能であり、第２の姿勢において、磁性体１３４にメディアボックス１００Ｂが取り付けられ、磁性体１３２にペン１５０が着脱可能である。
【００３６】
これにより、本実施形態のＩＷＢ１００は、第１の姿勢および第２の姿勢のいずれにおいても、本体１００Ａの下部に位置する、磁性体１３２，１３４の一方によって、メディアボックス１００Ｂを取り付けることができ、本体１００Ａの側部に位置する、磁性体１３２，１３４の他方によって、ペン１５０を保持することができる。
【００３７】
また、本実施形態のＩＷＢ１００において、磁性体１３２，１３４は、磁性体が用いられており、当該磁性体に生じる磁力により、メディアボックス１００Ｂおよびペン１５０を取り付け可能である。
【００３８】
これにより、本実施形態のＩＷＢ１００は、例えば、磁性体１３２，１３４として金属板を用いる等、比較的簡単な構造により、メディアボックス１００Ｂおよびペン１５０の保持構造を実現することができる。
【００３９】
以上、本発明の好ましい実施形態について詳述したが、本発明はこれらの実施形態に限定されるものではなく、特許請求の範囲に記載された本発明の要旨の範囲内において、種々の変形又は変更が可能である。
【００４０】
例えば、上記実施形態では、ペン１５０に磁石１５２を設けることにより、ペン１５０を本体１００Ａに着脱可能としているが、これに限らず、例えば、ペン１５０を保持するペンホルダに磁石１５２を設けることにより、ペン１５０を本体１００Ａに着脱可能としてもよい。すなわち、「ペンを着脱可能」の概念には、「ペンホルダに保持されているペンを着脱可能」も含む。
【００４１】
また、例えば、上記実施形態では、磁力を用いて、ペン１５０およびメディアボックス１００Ｂを本体１００Ａに着脱可能としているが、これに限らない。例えば、嵌合構造を用いて、ペン１５０およびメディアボックス１００Ｂを本体１００Ａに着脱可能としてもよい。
【００４２】
また、例えば、上記実施形態では、「表示システム」の一例としてＩＷＢ１００（電子黒板）を用いているが、これに限らない。本発明は、ペンによる入力を受け付け可能な表示入力装置を備えるものであれば、様々な表示システム（例えば、スマートフォン、タブレット端末等）に適用可能である。
【００４３】
また、例えば、上記実施形態では、本体１００Ａを第１の姿勢および第２の姿勢のいずれで使用する場合であっても、本体１００Ａの下部にメディアボックス１００Ｂを接続可能な構成としているが、これに限らない。例えば、本体１００Ａを第１の姿勢および第２の姿勢のいずれで使用する場合であっても、本体１００Ａの上部または側部に、メディアボックス１００Ｂを接続可能な構成としてもよい。
【００４４】
また、例えば、上記実施形態では、「拡張機能装置」の一例として、カメラ１０３、マイク１０４、およびスピーカ１０５を備えたメディアボックス１００Ｂを用いているが、これに限らない。「拡張機能装置」は、本体１００Ａの機能を拡張することができるものであれば、如何なる装置であってもよい。
【符号の説明】
【００４５】
１００  ＩＷＢ（表示システム）
１００Ａ  本体（表示入力装置）
１００ａ  第１の辺
１００ｂ  第２の辺
１００Ｂ  メディアボックス（拡張機能装置）
１０１  タッチパネル・ディスプレイ
１０２  コントローラボックス
１０３  カメラ
１０４  マイク
１０５  スピーカ
１３２  磁性体（第１の取付部）
１３４  磁性体（第２の取付部）
１３６  磁石
１５０  ペン
１５２  磁石
【先行技術文献】
【特許文献】
【００４６】
【特許文献１】特開２００８−０９８７６３号公報
【特許文献２】特開２００９−２８４１５７号公報
【図１】
2020087044.tif 000003
【図２】
2020087044.tif 000004
【図３】
2020087044.tif 000005